(57)【特許請求の範囲】
【請求項１】
被検者を入室させて聴力検査を実施する聴力検査室であって、聴力検査室本体内の上部に設けた開口部と室外を連通する第１消音ダクトと、この第１消音ダクトと前記聴力検査室本体内との接続部近傍の空気を冷却するペルチェ冷却装置と、前記聴力検査室本体内の上部に設けた開口部と室外を連通する第２消音ダクトを備え、前記ペルチェ冷却装置によって冷却された空気が前記聴力検査室本体内の空気を押すことにより、前記聴力検査室本体内の空気が自然対流によって流れることを特徴とする聴力検査室。
【請求項２】
被検者を入室させて聴力検査を実施する聴力検査室であって、聴力検査室本体内の上部に設けた開口部と室外を連通する第１消音ダクトと、この第１消音ダクト内の空気を冷却するペルチェ冷却装置と、前記聴力検査室本体内の上部に設けた開口部と室外を連通する第２消音ダクトを備え、前記第１消音ダクトを入口開口部が出口開口部より上方に位置するように取り付け、前記ペルチェ冷却装置によって冷却された空気が前記聴力検査室本体内の空気を押すことにより、前記聴力検査室本体内の空気が自然対流によって流れることを特徴とする聴力検査室。
【請求項３】
被検者を入室させて聴力検査を実施する聴力検査室であって、聴力検査室本体内の上部に設けた開口部と室外を連通する第１消音ダクトと、この第１消音ダクトと前記聴力検査室本体内との接続部近傍の空気又は前記第１消音ダクト内の空気を冷却するペルチェ冷却装置と、前記聴力検査室本体内の上部に設けた開口部と室外を連通する第２消音ダクトと、前記第１消音ダクトに吸気ファン及び／又は前記第２消音ダクトに排気ファンを備え、前記ペルチェ冷却装置によって冷却された空気を前記聴力検査室本体内に流入させることを特徴とする聴力検査室。
【発明の詳細な説明】
【０００１】
【発明の属する技術分野】
本発明は、空調設備を備えた聴力検査室に関する。
【０００２】
【従来の技術】
従来の聴力検査室としては、例えば特許第３００８６３８号公報に記載された聴力検査室が知られている。この聴力検査室は、人一人が椅子に座っていられる程度の広さを有し、人の身長より僅かに高い程度の高さを有する箱体である。
また、外部音が聴力検査の妨げにならないようにするため、遮音性の高い構造になっているので、換気性が悪く、換気をよくするための換気装置が設けられている。
【０００３】
【発明が解決しようとする課題】
しかし、換気装置を設けても、夏期には室内が高温多湿となり、聴力検査を受ける被検者にとっては不快な環境となる。一般的に、聴力検査は、５分〜数１０分に及ぶが、聴力検査時間が長くなればなるほど、不快さは増加する。
【０００４】
このような問題を解決するために、換気装置に、一般的な方式のエアコン、即ちＨＦＣ（ハイドロフルオロカーボン）等の冷媒を圧縮して液体とし、この液体が蒸発器内で減圧され気体に戻るときに周囲から熱を奪う原理を利用して空気を冷却する方式のエアコンを組み込み、冷却した空気を室内に送り込むことが考えられる。
しかしながら、この方式のエアコンでは、熱交換器付近の空気中の水分が凝結して水が排出されるので、この水を処理するための排水設備等を設けなければならない。
【０００５】
本発明は、従来の技術が有するこのような問題点に鑑みてなされたものであり、その目的とするところは、排水設備等を設けることなく室内を冷房できる聴力検査室を提供しようとするものである。
【０００６】
【課題を解決するための手段】
上記課題を解決すべく請求項１に係る発明は、被検者を入室させて聴力検査を実施する聴力検査室であって、聴力検査室本体内の上部に設けた開口部と室外を連通する第１消音ダクトと、この第１消音ダクトと前記聴力検査室本体内との接続部近傍の空気を冷却するペルチェ冷却装置と、前記聴力検査室本体内の上部に設けた開口部と室外を連通する第２消音ダクトを備え、前記ペルチェ冷却装置によって冷却された空気が前記聴力検査室本体内の空気を押すことにより、前記聴力検査室本体内の空気が自然対流によって流れるようにした。
【０００７】
請求項２に係る発明は、被検者を入室させて聴力検査を実施する聴力検査室であって、聴力検査室本体内の上部に設けた開口部と室外を連通する第１消音ダクトと、この第１消音ダクト内の空気を冷却するペルチェ冷却装置と、前記聴力検査室本体内の上部に設けた開口部と室外を連通する第２消音ダクトを備え、前記第１消音ダクトを入口開口部が出口開口部より上方に位置するように取り付け、前記ペルチェ冷却装置によって冷却された空気が前記聴力検査室本体内の空気を押すことにより、前記聴力検査室本体内の空気が自然対流によって流れるようにした。
【０００９】
請求項３に係る発明は、被検者を入室させて聴力検査を実施する聴力検査室であって、聴力検査室本体内の上部に設けた開口部と室外を連通する第１消音ダクトと、この第１消音ダクトと前記聴力検査室本体内との接続部近傍の空気又は前記第１消音ダクト内の空気を冷却するペルチェ冷却装置と、前記聴力検査室本体内の上部に設けた開口部と室外を連通する第２消音ダクトと、前記第１消音ダクトに吸気ファン及び／又は前記第２消音ダクトに排気ファンを備え、前記ペルチェ冷却装置によって冷却された空気を前記聴力検査室本体内に流入させるようにした。
【００１０】
【発明の実施の形態】
以下に本発明の実施の形態を添付図面に基づいて説明する。ここで、図１は本発明に係る聴力検査室の斜視図、図２は聴力検査室の縦断面図、図３は消音ダクトの横断面図、図４は他の実施の形態に係る聴力検査室の縦断面図である。
【００１１】
本発明に係る聴力検査装室は、図１に示すように、聴力検査室本体１と、第１消音ダクト２と、第２消音ダクト３と、ペルチェ冷却装置４からなる。
【００１２】
聴力検査室本体１は、箱形状をなし、側面には被験者が入退室するための開き戸１１と、室内の被検者に与える閉塞感を和らげたり、室の内外間で簡単なコミニュケーションをとるためのガラス窓１２等が設けられている。聴力検査室本体１を構成する壁、床、天井や開き戸１１などの部材は、高い遮音性を有する材料からなり、これらの部材間は遮音性を保つためにシール材でシールされている。
【００１３】
また、聴力検査室本体１の上部には、図２に示すように、聴力検査室本体１内の上部と室外とを連通する第１消音ダクト２が設置されている。更に、聴力検査室本体１の側面には、聴力検査室本体１内の上部と室外と連通する第２消音ダクト３が取り付けられている。
【００１４】
第１消音ダクト２と聴力検査室本体１の内部は、聴力検査室本体１の開口部１３を介して接続されている。また、聴力検査室本体１の内部と第２消音ダクト３は、聴力検査室本体１の開口部１４を介して接続されている。
【００１５】
第１消音ダクト２は、図３に示すように、ダクト２１内面に吸音材２２を内張すると共に吸音材２３を分散して配置した、いわゆるセル形消音器構造を有するものである。第２消音ダクト３も第１消音ダクト２と同様なセル形消音器構造を有するものである。
【００１６】
また、第１消音ダクト２の入口開口部２ａに吸気ファン２５を設け、この吸気ファン２５を駆動させることによって外気を強制的に聴力検査室本体１内に送り込むこともできる。更に、第２消音ダクト３の出口開口部３ｂにも排気ファン（不図示）を設けてもよい。
また、第１消音ダクト２の入口開口部２ａに吸気ファン２５を設ける替りに、第２消音ダクト３の出口開口部３ｂに排気ファンを設けてもよい。
【００１７】
ペルチェ冷却装置４は、２枚の板状部材間に複数のペルチェ素子を配置したペルチェ素子ユニット４１と、ペルチェ素子ユニット４１に電力を供給する直流電源（不図示）と、ペルチェ素子ユニット４１の上面に取り付けたダクト４２と、ダクト４２に空気を送り込むファン４３からなる。
【００１８】
ペルチェ素子ユニット４１は、冷却した空気が自然に聴力検査室本体１内に降下するように、聴力検査室本体１の上部に形成された開口部１３に対向して第１消音ダクト２の壁面の一部を形成するように取り付けられている。
そして、ペルチェ素子ユニット４１は直流電源による給電により、下面側となる第１消音ダクト２の内部側が冷却部として機能する。
【００１９】
なお、ペルチェ素子ユニット４１の設置箇所は、これによって冷却された空気が自然対流によって聴力検査室本体１内に降下するような箇所であれば、その他の箇所であってもよい。
【００２０】
ペルチェ素子ユニット４１の下面側を冷却部として機能させると、上面側となる第１消音ダクト２の外部側は高温となり、ペルチェ素子ユニット４１の冷却機能が低下する。そこで、冷却機能の低下を防止するため、ファン４３によってダクト４２に空気を送り込むことにより、ペルチェ素子ユニット４１の上面側を冷却している。
【００２１】
なお、ペルチェ素子ユニット４１の上面側の冷却については、その他の方法が考えられる。例えば、ダクト４２に替えて消音ダクトを用いてもよい。この場合、消音ダクト内部にファンを配置するようにすればファンの回転に伴う騒音を低減できる。また、ペルチェ素子ユニット４１の上面に十分な放熱性能を備える大型の冷却フィンを設ければ、ファン４３、ダクト４２が不要となり、ファン４３の回転に伴う騒音がなくなるので好ましい。
【００２２】
以上のように構成した本発明に係る聴力検査室の作用について説明する。
ペルチェ冷却装置４を動作させると、ペルチェ素子ユニット４１の下部近傍の空気が冷却される。冷却された空気は重くなり、開口部１３を通って聴力検査室本体１内部に流入する。
【００２３】
すると、冷却された空気の後を追って第１消音ダクト２の入口開口部２ａから外気が流入してくる。この外気もペルチェ冷却装置４によって冷却され、聴力検査室本体１内部に流入する。一方、既に滞留している聴力検査室本体１内部の空気は、聴力検査室本体１内部に入ってくる冷却された空気に押されて、第２消音ダクト３を通って室外に出ていく。
【００２４】
従って、ペルチェ冷却装置４を動作させた状態では、聴力検査室本体１内部の空気は、自然対流によって、図２に示す矢印方向に沿って流れるようになる。
【００２５】
また、聴力検査室は、一般に病院や補聴器販売店などの空調が効いた室内に設置されるので、夏期には聴力検査室本体１内部も冷房の恩恵に浴することになる。
しかし、検査を進めるうちに、従来の聴力検査室では、少しずつ室内温度が高くなり被検者は不快となるが、本発明に係る聴力検査室では、そのような不都合が生じない。
【００２６】
また、本発明に係る聴力検査室では、第１消音ダクト２の入口開口部２ａに吸気ファン２５及び／又は第２消音ダクト３の出口開口部３ｂに排気ファンを設けることもできる。吸気ファン２５及び／又は排気ファンを設ければ、聴力検査室本体１内の空気を強制的に対流させて急速に冷却することができる。
そして、聴力検査室本体１内が所望な温度になれば、吸気ファン２５及び／又は排気ファンの駆動を停止し、その後は自然対流に任せることにより、聴力検査を妨げる騒音のレベルを低くできる。
【００２７】
また、一般的なエアコン、即ち、冷媒を圧縮して冷却する方式のエアコンにおいては、熱交換器付近の空気中の水分が凝結することにより水が出るが、ペルチェ冷却装置４においてはこのようなことが無く、水を処理するための排水設備が不要となる。
【００２８】
次に、本発明の他の実施の形態に係る聴力検査室では、図４に示すように、出口開口部６ｂを聴力検査室本体の開口部１３に接続させた状態で入口開口部６ａが上方に位置する第１消音ダクト６を用いることができる。ペルチェ素子ユニット４１は、第１消音ダクト６の中央付近に配置している。なお、他の構成については、図２に示す聴力検査室と同様である。
【００２９】
この場合も、ペルチェ冷却装置４を動作させると、ペルチェ素子ユニット４１の下部近傍の空気が冷却される。冷却された空気は重くなり、開口部１３を通って聴力検査室本体１内部に流入する。
【００３０】
すると、冷却された空気の後を追って第１消音ダクト６の入口開口部６ａから外気が流入してくる。この外気もペルチェ冷却装置４によって冷却され、聴力検査室本体１内部に流入する。一方、既に滞留している聴力検査室本体１内の空気は、聴力検査室本体１内部に入ってくる冷却された空気に押されて、第２消音ダクト３を通って室外に出ていく。
【００３１】
従って、ペルチェ冷却装置４を動作させた状態では、聴力検査室本体１内部の空気は、自然対流によって、図４に示す矢印方向に沿って流れるようになる。
【００３２】
また、第１消音ダクト２の入口開口部２ａに吸気ファン２５及び／又は第２消音ダクト３の出口開口部３ｂに排気ファンを設ければ、聴力検査室本体１内の空気を強制的に対流させて急速に冷却することができる。
そして、聴力検査室本体１内が所望な温度になれば、吸気ファン２５及び／又は排気ファンの駆動を停止し、その後は自然対流に任せることにより、聴力検査を妨げる騒音のレベルを低くできる。
【００３３】
また、図１又は図２に示すように、第１消音ダクト２の入口開口部２ａに吸気ファン２５を設けるのであれば、第１消音ダクト２の中央付近にペルチェ冷却装置４を配置し、常時吸気ファン２５を駆動するようにしてもよい。
そうすれば、吸気ファン２５によって室外から流入した空気は、ペルチェ冷却装置４によって冷却され、更に冷却された空気は吸気ファン２５の吸引力によって室外から流入した空気により押され、開口部１３を通って聴力検査室本体１内部に流入する。
【００３４】
すると、冷却された空気の後を追って第１消音ダクト２の入口開口部２ａから外気が流入してくる。この外気もペルチェ冷却装置４によって冷却され、聴力検査室本体１内部に流入する。一方、既に滞留している聴力検査室本体１内部の空気は、聴力検査室本体１内部に入ってくる冷却された空気に押されて、第２消音ダクト３を通って室外に出ていく。
【００３５】
更に、第１消音ダクト２の入口開口部２ａに吸気ファン２５を設けると共に、第２消音ダクト３の出口開口部３ｂにも排気ファン（不図示）を設けてもよい。
また、第１消音ダクト２の入口開口部２ａに吸気ファン２５を設ける替りに、第２消音ダクト３の出口開口部３ｂに排気ファンを設けてもよい。
【００３６】
いずれの場合にも、吸気ファン２５及び／又は排気ファンの吸引力又は排気力によって第１消音ダクト２の入口開口部２ａから室外の空気が流入し、この空気がペルチェ冷却装置４によって冷却され、更に冷却された空気は吸気ファン２５及び／又は排気ファンの吸引力又は排気力によって室外から流入した空気により押され、開口部１３を通って聴力検査室本体１内部に流入する。
【００３７】
【発明の効果】
以上説明したように請求項１に係る発明によれば、排水設備を必要とせずに聴力検査室内を冷房できる。また、冷房に伴う騒音レベルが一段と低いので聴力検査のを妨げにならない。
【００３８】
請求項２に係る発明によれば、排水設備を必要とせずに聴力検査室内を冷房できる。また、冷房に伴う騒音レベルが一段と低いので聴力検査のを妨げにならない。
【００４０】
請求項３に係る発明によれば、排水設備を必要とせずに聴力検査室内を冷房できる。また、急速に聴力検査室内を冷房できる。
【図面の簡単な説明】
【図１】本発明に係る聴力検査室の斜視図
【図２】聴力検査室本体の縦断面図
【図３】消音ダクトの横断面図
【図４】他の実施の形態に係る聴力検査室本体の縦断面図
【符号の説明】
１…聴力検査室本体、２，６…第１消音ダクト、２ａ，６ａ…入口開口部、６ｂ…出口開口部、３…第２消音ダクト、４…ペルチェ冷却装置、２５…吸気ファン、４１…ペルチェ素子ユニット。
【図１】
0003539683.tif 000002
【図２】
0003539683.tif 000003
【図３】
0003539683.tif 000004
【図４】
0003539683.tif 000005